(57)【要約】【課題】製造工程を合理化して、製造コストを抑制でき、店頭では簡単に開封して商品を展示できる擬似２ピース包装箱を提供する。【解決手段】トレイ部１とこれに被せるカバー部２を連結したブランクから構成し、トレイ部１を、後板１１の一側に一方の内側板１２、内前板１３及び他方の内側板１４を順次連設して底板１５，１６を備えたものとし、後板１１の他側にカバー部２を構成する他方の外側板２４、外前板２３及び一方の外側板２２を順次連設する。トレイ部１の他方の内側板１４の側端に下継片１７を連設し、後板１１の一側に一方の内側板１２の上方に位置する上継片１８を連設する。後板１１の他側部に沿った切断部３と、開封時に上継片１８をカバー部２側に残して切り離す切断部４とを設ける。【選択図】図４
2015196538.tif 000002
【特許請求の範囲】
【請求項１】
トレイ部(1)とこれに被せるカバー部(2)を連結したブランクから構成し、トレイ部(1)を、後板(11)の一側に一方の内側板(12)、内前板(13)及び他方の内側板(14)を順次連設して底板(15,16)を備えたものとし、後板(11)の他側にカバー部(2)を構成する他方の外側板(24)、外前板(23)及び一方の外側板(22)を順次連設し、トレイ部(1)の他方の内側板(14)の側端に下継片(17)を、後板(11)の一側に一方の内側板(12)の上方に位置する上継片(18)をそれぞれ連設し、後板(11)の他側部に沿った切断部(3)と、開封時に上継片(18)をカバー部(2)側に残して切り離す切断部(4)とを設け、
トレイ部(1)を折り曲げて、下継片(17)を後板(11)の他側部の内面に貼り付け、カバー部(2)を折り曲げて、上継片(18)をカバー部(2)の一方の外側板(22)の側端部内面に貼り付けることにより、トレイ部(1)の一方の内側板(12)、内前板(23)及び他方の内側板(24)の外側に、カバー部(2)の一方の外側板(22)、外前板(23)及び他方の外側板(24)がそれぞれ重なった組立状態とし、
開封に際しては、切断部(3,4)を切断して、トレイ部(1)とカバー部(2)とを分離するようにした擬似２ピース包装箱。
【発明の詳細な説明】
【技術分野】
【０００１】
この発明は、１ピースのブランクから組み立てられ、商品の展示等に際し、トレイ部とカバー部とに分離可能な擬似２ピース包装箱に関するものである。
【背景技術】
【０００２】
従来、下記特許文献１には、図１１に示すように、商品を収容するトレイ体５１と、これに外側から被せる蓋体５２とから成る包装展示兼用箱が記載されている。
【０００３】
この包装展示兼用箱のトレイ体５１及び蓋体５２は、別体のブランクからそれぞれ組み立てられ、トレイ体５１は、底壁５３、前面壁５４、後面壁５５及び一対の側面壁５６を有し、蓋体５２は、天面壁５７、前面壁５８、後面壁５９及び一対の側面壁６０を有するものとされている。前面壁５４，５８及び後面壁５５には、それぞれミシン目状の切目線６１ａ，６２ａ，６３ａを入れて切取部６１，６２，６３が設けられている。
【０００４】
そして、この包装展示兼用箱を使用して、商品を店舗への配送のため包装する際には、前面壁５４，５８を切取部６１，６２の領域内の接着部６４で接着し、後面壁５５，５９を切取部６３の領域内の接着部６５で接着することにより、トレイ体５１と蓋体５２とを固定し、封緘状態とする。
【０００５】
一方、店頭で商品を展示する際には、切取部６１，６２を、切目線６１ａ，６２ａの切断に伴い、貼り合わされた状態で前面壁５４，５８から切り取り、蓋体５２を後面壁５９の下端縁を中心にして回転させることにより、切取部６３を、切目線６３ａの切断に伴い後面壁５９に貼り付いた状態で、後面壁５５から切り取る。
【０００６】
このように開封すると、トレイ体５１と蓋体５２とが分離されるので、トレイ体５１から蓋体５２を除去して、トレイ体５１に収容された商品を、買物客から見えやすいように露出させた状態で展示することができる。
【先行技術文献】
【特許文献】
【０００７】
【特許文献１】特開２０１２−３０８９２号公報
【発明の概要】
【発明が解決しようとする課題】
【０００８】
しかしながら、上記のような包装展示兼用箱では、製造に際し、トレイ体５１と蓋体５２のブランクをそれぞれ別々に打ち抜いた後、これらを正確に位置決めして貼り合わせる必要があるため、製造工程が煩雑でコストがかかるという問題がある。
【０００９】
また、トレイ体５１と蓋体５２の重なり合う部分が大きいため、材料である用紙の使用面積が大きくなり、この面でも製造コストがかかるという問題がある。
【００１０】
さらに、店頭で開封して展示状態とする際、前面壁５４，５８の切取部６１，６２を切り取り、次いで、後面壁５５の切取部６３を切り取る２段階の工程が必要となり、作業に手間がかかるという問題がある。
【００１１】
そこで、この発明は、製造工程を合理化して、製造コストを抑制でき、店頭では簡単に開封して商品を展示できる擬似２ピース包装箱を提供することを課題とする。
【課題を解決するための手段】
【００１２】
上記課題を解決するため、この発明に係る包装箱は、トレイ部とこれに被せるカバー部を連結したブランクから構成し、トレイ部を、後板の一側に一方の内側板、内前板及び他方の内側板を順次連設して底板を備えたものとし、後板の他側にカバー部を構成する他方の外側板、外前板及び一方の外側板を順次連設し、トレイ部の他方の内側板の側端に下継片を、後板の一側に一方の内側板の上方に位置する上継片をそれぞれ連設し、後板の他側部に沿った切断部と、開封時に上継片をカバー部側に残して切り離す切断部とを設け、トレイ部を折り曲げて、下継片を後板の他側部の内面に貼り付け、カバー部を折り曲げて、上継片をカバー部の一方の外側板の側端部内面に貼り付けることにより、トレイ部の一方の内側板、内前板及び他方の内側板の外側に、カバー部の一方の外側板、外前板及び他方の外側板がそれぞれ重なった組立状態とし、開封に際しては、切断部を切断して、トレイ部とカバー部とを分離するようにしたのである。
【発明の効果】
【００１３】
この発明に係る擬似２ピース包装箱では、トレイ部とカバー部とが連結された１枚のブランクを折り曲げて組み立てるので、打抜から折曲げ、糊貼りに至る製造工程を合理化することができ、製造コストを抑制することができる。
【００１４】
また、後板がカバー部と重ならないので、カバー部を無理なく折り曲げてトレイ部の外側に巻き付けるように包装することができるほか、材料の使用量も抑制することができるので、この点からも製造コストを抑制できる。
【００１５】
また、商品の展示に際しては、後板を引っ張って、切断部を切断するだけで、簡単に開封することができるので、店頭での展示作業に伴う手間が軽減される。
【図面の簡単な説明】
【００１６】
【図１】この発明の第１実施形態に係る擬似２ピース包装箱のブランクを示す図
【図２】同上の製造時の折曲過程を示す斜視図
【図３】同上の組立状態を後面側から示す斜視図
【図４】同上の開封過程を後面側から示す斜視図
【図５】同上のトレイ部による展示状態を前面側から示す斜視図
【図６】この発明の第２実施形態に係る擬似２ピース包装箱のブランクを示す図
【図７】同上の製造時の折曲過程を示す斜視図
【図８】同上の組立状態を後面側から示す斜視図
【図９】同上の開封過程を後面側から示す斜視図
【図１０】同上のトレイ部による展示状態を前面側から示す斜視図
【図１１】従来の包装展示兼用箱の包装状態を示す斜視図
【発明を実施するための形態】
【００１７】
まず、この発明の第１実施形態を図１〜図５に基づいて説明する。
【００１８】
この包装箱は、高さが奥行より大きい深型のものであり、図１に示すような１枚の段ボール製ブランクから組み立てられる。このブランクは、トレイ部１とカバー部２とを横方向に連結したものであり、段ボールの中芯の段頂が延びる方向である段目は、耐荷重性を考慮して、上下方向へ向けられている。
【００１９】
トレイ部１は、縦長の長方形の後板１１の一側下部に、一方の内側板１２、内前板１３及び他方の内側板１４を順次連設し、後板１１及び内前板１３の下端に底板１５を、内側板１２，１４の下端に底板１６をそれぞれ連設したものとされている。
【００２０】
トレイ部１において、他方の内側板１４の外側端には下継片１７が連設され、後板１１の一側上部には、一方の内側板１２の上端に繋がる上継片１８が連設されている。
【００２１】
カバー部２は、トレイ部１の後板１１の他側から他方の外側板２４、外前板２３及び一方の外側板２２を順次連設すると共に、外前板２３の上端に蓋板２５及び差込片２６を順次連設し、外側板２２，２４の上端に蓋受片２７を連設した構成とされている。
【００２２】
トレイ部１の一方の内側板１２、内前板１３及び他方の内側板１４の幅方向の寸法は、カバー部２の一方の外側板２２、外前板２３及び他方の外側板２４の幅方向の寸法よりも少し小さくなっている。
【００２３】
後板１１の他側部には、外側板２４との境界に沿って切断部３が設けられている。切断部３は、後板１１の他側上端から少し下方に離れた位置に入れた円弧状切目線の内側の押込部３ａと、その上方及び下方へ延びる鉤状の切目が断続したジッパ型の切目線３ｂと、内側板１２，１４の高さに相当する位置に下端から間隔をあけて入れたスリット３ｃと、スリット３ｃの下方に入れた切目線３ｄとから構成される。
【００２４】
後板１１の一側部及び内側板１２と上継片１８との境界には、切断部４が設けられている。切断部４は、後板１１の一側上端から少し下方に離れた位置に入れた円弧状切目線の内側の押込部４ａと、その上方及び下方へ延びる鉤状の切目が断続したジッパ型の切目線４ｂと、上継片１８と内側板１２との境界をなす切目線４ｃとから構成される。
【００２５】
後板１１の他側部内面におけるスリット３ｃ及び切目線３ｄに臨む部分は、組立時に下継片１７を接着する接着部５とされ、外側板２２の側端部内面における上部は、組立時に上継片１８を接着する接着部６とされている。
【００２６】
内側板１２，１４の上端部には、先端縁が波状となった倒止片１９が設けられ、内前板１３は、展示時の商品の視認性を確保するため、上端から高さ方向の中間部まで、両側部を残して切り込まれている。
【００２７】
このようなブランクから包装箱を製造する際には、図２に示すように、トレイ部１を、後板１１と一方の内側板１２の境界で折り曲げると共に、内前板１３と他方の内側板１４の境界で折り曲げ、下継片１７を後板１１の接着部５に貼り付け、カバー部２を、外前板２３と他方の外側板２４の境界で折り曲げ、上継片１８を一方の外側板２２の接着部６に貼り付けて、偏平な折畳状態とする。
【００２８】
これにより、トレイ部１の一方の内側板１２、内前板１３及び他方の内側板１４の外側に、カバー部２の一方の外側板２２、外前板２３及び他方の外側板２４がそれぞれ重なった状態に折り畳まれる。
【００２９】
この折り曲げに際し、後板１１の一側に連設されたトレイ部１の一方の内側板１２、内前板１３及び他方の内側板１４と、後板１１の他側に連設されたカバー部２とを折り重ねるので、段ボールの厚さの影響により折り曲げが困難になることがない。
【００３０】
次に、商品の包装に際しては、上記のような折畳状態から、図３に示すように、トレイ部１とカバー部２とが重なり合った状態で角筒状をなすように立体化し、底板１５，１６を噛み合わせて底面を閉じ、トレイ部１に商品を収納した後、蓋受片２７を内側へ折り曲げ、蓋受片２７に重ねるように蓋板２５を折り曲げて天面を閉じ、差込片２６を後板１１と蓋受片２７の間に差し込んで封緘する。
【００３１】
この組立状態では、カバー部２の外前板２３によりトレイ部１の内前板１３が覆われ、カバー部２の外側板２２，２４によりトレイ部１の内側板１２，１４が覆われるので、流通過程で内前板１３や内側板１２，１４の外面が汚れることがない。
【００３２】
一方、店頭で商品を展示する際には、図４に示すように、押込部３ａ，４ａに指を入れて、後板１１を引っ張ることにより、切目線３ｂ，４ｂを切断し、また、外側板２２，２４を引っ張ることにより、切目線４ｃ，３ｄを切断し、トレイ部１とカバー部２とを分離して、カバー部２を解体する。
【００３３】
このように、トレイ部１とカバー部２とを分離すると、上継片１８は、カバー部２の外側板２２に貼り付いたままの状態となる。また、カバー部２は、偏平なブランク状態に戻して処分することができる。
【００３４】
そして、トレイ部１からカバー部２を除去することにより、図５に示すように、トレイ部１に収容された商品Ｇが露出した展示状態とする。この展示状態では、トレイ部１の切断縁が目立たないので、美粧性に優れ、内前板１３により商品Ｇの前方へのこぼれ出しを防止でき、商品Ｇを後板１１に凭れさせて安定した状態で展示することができる。
【００３５】
また、倒止片１９を内側へ折り曲げると、前方のものから商品Ｇが抜き取られても、商品Ｇの前倒れを防止することができる。
【００３６】
このように、上記擬似２ピース包装箱では、トレイ部１とカバー部２とが連結された１枚のブランクを折り曲げて組み立てるので、打抜から折曲げ、糊貼りに至る製造工程を合理化することができ、製造コストを抑制することができる。
【００３７】
また、後板１１がカバー部２と重ならないので、カバー部２を無理なく折り曲げてトレイ部１の外側に巻き付けるように包装することができるほか、材料の使用量も抑制することができるので、この点からも製造コストを抑制できる。
【００３８】
また、商品Ｇの展示に際しては、後板１１を引っ張って、切断部３，４を切断するだけで、簡単に開封することができるので、店頭での展示作業に伴う手間が軽減される。
【００３９】
次に、この発明の第２実施形態を図６〜図１０に基づいて説明する。なお、ここでは、上記第１実施形態と同様の部分の説明は省略し、特徴的な部分についてのみ言及する。
【００４０】
この包装箱では、図６のブランクに示すように、後板１１と外側板２４の境界の切断部３において、第１実施形態の押込部３ａと切目線３ｂとがなく、切断部４の切目線４ｂが切目線４ｃからスリット３ｃの上端にかけて後板１１の上部をアーチ状に横断し、切目線４ｂの中央部に臨んで２本の切目線に挟まれた押込部４ａが設けられている。
【００４１】
また、上記第１実施形態では、底面の閉止構造として、底板１５，１６の噛み合わせのみによるインターロック式のものを例示したが、この第２実施形態では、図７に示すように、製造時に底板１５の一側部を斜め折目線に沿って折り返し、その折返部分を底板１６に貼り付けて折畳状態としておき、図８に示すように、組立時には、底板１５同士が自動的に噛み合うワンタッチ式のものとされている。
【００４２】
そして、店頭での商品の展示に際しては、図９に示すように、押込部４ａに指を入れ、後板１１の切目線４ｂより上方部分を前面側へ引っ張ると、切目線４ｂ，４ｃ，３ｄが切断され、後板１１の切目線４ｂより上方部分がカバー部２側に繋がったまま、トレイ部１とカバー部２とが分離し、トレイ部１からカバー部２を除去すると、トレイ部１は、図１０に示す展示状態となる。
【００４３】
このような擬似２ピース包装箱でも、第１実施形態のものと同様、トレイ部１とカバー部２とが連結された１枚のブランクを折り曲げて組み立てるので、製造工程を合理化することができ、また、後板１１がカバー部２と重ならないので、カバー部２を無理なく折り曲げてトレイ部１の外側に巻き付けるように包装することができるほか、材料の使用量も抑制することができるので、製造コストを抑制できる。
【００４４】
また、商品Ｇの展示に際しては、後板１１を引っ張って、切断部３，４を切断するだけで、簡単に開封することができるので、店頭での展示作業に伴う手間が軽減される。
【００４５】
なお、上記各実施形態では、後板１１と外側板２４の境界の切断部３において、トレイ部１とカバー部２との分離を容易にするため、スリット３ｃを設けたものを例示したが、スリット３ｃを省略し、ミシン目状やジッパ型の切目線を設けてもよい。
【００４６】
また、押込部３ａ，４ａが後板１１に位置するものを例示したが、天面後部に押込部を設け、天面と後面の稜部に切目線入れ、この押込部に指を入れて引っ張ることにより、切断部３，４を切断し、トレイ部１とカバー部２とを分離するようにしてもよい。
【００４７】
また、製造時に内側板１２と上継片１８とを機械で一体的に折り曲げられるようにするため、これらが切目線４ｃを介して繋がったものを例示したが、手作業で組み立てる包装箱においては、内側板１２と上継片１８とが当初より切り離されていてもよい。
【００４８】
また、底面の閉止形式として、インターロック式及びワンタッチ式のものを例示し、天面の閉止形式として、タックエンド式のものを例示したが、底面及び天面の閉止形式は、単にフラップを重ね合わせて粘着テープや接着剤で固定するものとしてもよく、特に限定されるものではない。
【００４９】
さらに、組立状態において、トレイ部１とカバー部２とから成る周壁が四角筒状をなすものを例示したが、縦方向の稜部に傾斜した面取部が介在し、八角筒等の多角筒状をなすものとしてもよい。この場合、展示時に上継片１８を後板１１側から切り離す切目線４ｃは、面取部を通って後板１１の一側へ至るものとする。
【００５０】
そのほか、材料として段ボールを使用したものを例示しがた、段ボールに換えて、板紙等の他のシート材を材料として使用してもよい。
【符号の説明】
【００５１】
１  トレイ部
２  カバー部
３  切断部
３ａ  押込部
３ｂ  切目線
３ｃ  スリット
３ｄ  切目線
４  切断部
４ａ  押込部
４ｂ  切目線
４ｃ  切目線
５，６  接着部
１１  後板
１２  内側板
１３  内前板
１４  内側板
１５，１６  底板
１７  下継片
１８  上継片
１９  倒止片
２２  外側板
２３  外前板
２４  外側板
２５  蓋板
２６  差込片
２７  蓋受片
Ｇ  商品
【図１】
2015196538.tif 000003
【図２】
2015196538.tif 000004
【図３】
2015196538.tif 000005
【図４】
2015196538.tif 000006
【図５】
2015196538.tif 000007
【図６】
2015196538.tif 000008
【図７】
2015196538.tif 000009
【図８】
2015196538.tif 000010
【図９】
2015196538.tif 000011
【図１０】
2015196538.tif 000012
【図１１】
2015196538.tif 000013